(57)【要約】  本発明は、輪転印刷機で穴あけ、溝切りまたは打抜きする装置であって、ブランケット用に保持装置１１，１２を有するブランケット胴３を備えた少なくとも１つの印刷・コーティングユニット２を備え、ブランケット胴３は少なくとも一部に保持装置１１，１２を収容する胴溝１３とさらにベースシート１８とを備え、所定の穴あけ・溝切り・打抜き形状に応じて穴あけ・溝切り・打抜きパターンとして盛り上がった加工パターンがベースシート１８上に取り付けられ、特に貼付された装置に関する。発明により、ベースシート１８も同様に保持装置１１，１２に固定される。【選択図】図２
2010508184.tif 000002
【特許請求の範囲】
【請求項１】
輪転印刷機で穴あけ、溝切りまたは打抜きする装置であって、ブランケット用に保持装置（１１，１２）を有するブランケット胴（３）を備えた少なくとも１つの印刷・コーティングユニット（２）を備え、ブランケット胴（３）は少なくとも一部に保持装置（１１，１２）を収容する胴溝（１３）とさらにベースシート（１８）とを備え、所定の穴あけ・溝切り・打抜き形状に応じて穴あけ・溝切り・打抜きパターンとして盛り上がった加工パターンがベースシート（１８）上に取り付けられ、特に貼付された装置において、
ベースシート（１８）も同様に保持装置（１１，１２）に固定される
ことを特徴とする装置。
【請求項２】
ベースシート（１８）はベースシート・保持装置（６０）を使用して弛緩可能に、および／または所定の調整範囲内でブランケット胴（３）に対して移動可能に、かつ移動のあと再びブランケット保持装置（１１，１２）に位置固定され保持されることを特徴とする請求項１に記載の装置。
【請求項３】
保持装置（１１，１２）に形成されたブランケット・取付け装置（６１）を使用して、ブランケットの代わりに柔軟で寸法安定性のある材料からできた基板（１０）が取外し可能にブランケット胴（３）上に固定され、その際、基板（１０）は好ましくは長方形および／または表面安定性のあるプラスチック板で形成され、
ベースシート・保持装置（６０）はブランケット・取付け装置（６１）に隣接および／または間隔を保って保持装置（１１，１２）に形成され、また
ベースシート（１８）はベースシート・保持装置（６０）に挟まれた状態で位置決め結合面で基板（１０）上に載置される
ことを特徴とする請求項１または２に記載の装置。
【請求項４】
ベースシート・保持装置（６０）は関連ブランケット胴（３）の周方向に間隔を保つ取付け枠（６２，６３）を備え、それを使用してベースシート（１８）の張締された状態で対向する端部領域が保持装置（１１，１２）に固定可能である
ことを特徴とする請求項２または３に記載の装置。
【請求項５】
取付け枠（６２，６３）は固定されて移動できないよう保持装置（１１，１２）に配置され、
取付け枠（６２，６３）は保持装置（１１，１２）と一体に、または分離した構成部品として形成され、
一体に、または分離した構成部品として形成されたベースシート・保持枠（６８）がベースシートの端部領域に取り付けられ、それによってベースシート（１８）が所定の調整範囲内でブランケット胴（３）に相対的に移動可能であり、かつ移動のあと再び関連取付け枠の少なくとも１つに固定され保持される
ことを特徴とする請求項４に記載の装置。
【請求項６】
ベースシート・保持枠（６８）はそれぞれ関連取付け枠（６２，６３）に少なくとも１つの弛緩可能な結合を使用して固定され、また結合を緩めるとベースシート（１８）の相対移動が自由となり、また結合を固定するとベースシート（１８）は固定され、特に挟み込みによってブランケット胴（３）に保持されることを特徴とする請求項５に記載の装置。
【請求項７】
取付け枠（６２，６３）は栓状の取付け枠・調整ピン（６７）を備え、それに、ベースシート（１８）の保持枠（６８）が調整ピン（６７）に対して所定の過大寸法となるベースシート・レセス、特に長穴が関連し、調整ピン・レセス形状で所定の調整範囲が決まるよう形成されることを特徴とする請求項６に記載の装置。      
【請求項８】
さらに、いずれの取付け枠（６２，６３）も関連挟み付け枠（６９）を備え、これと取付け枠（６２，６３）との間でベースシート側の保持枠（６８）が固定状態に挟み込まれることを特徴とする請求項６または７に記載の装置。
【請求項９】
取付け枠（６２，６３）は分離した構成部品で形成され、さらに少なくとも１つの取付け枠（６２，６３）が保持装置（１１，１２）に対し所定の調整範囲内で移動可能であり、かつ移動のあと再び保持装置（１１，１２）に固定されることを特徴とする請求項４に記載の装置。
【請求項１０】
取付け枠（６２，６３）は少なくとも１つの弛緩可能な結合（６４）、特にねじ結合を使用して、保持装置（１１，１２）に取付けられ、結合を緩めると、取付け枠の相対移動がそこに固定されたベースシート（１８）とともに自由になり、またねじ結合を固定すると、取付け枠と保持装置（１１，１２）との間の相対移動が禁止され、従ってベースシートは正確な位置に固定されブランケット胴（３）に保持され、その際、弛緩可能な結合は好ましくは取付け枠側のレセスによって形成され、このレセスは関連止めねじ（６６）のねじ軸部に対して過大寸法を示し、レセス・ねじ形状で調整範囲が定まることを特徴とする請求項９に記載の装置。
【請求項１１】
ベースシート（１８）は弛緩可能に固定して取付け枠（６２，６３）に、特に栓状の取付け枠・調整ピン（６７）およびそれに形状適合し掛けることのできるベースシート・レセス（６８）を介して結合可能であることを特徴とする請求項９または１０に記載の装置。
【請求項１２】
ベースシート（１８）の端部領域に一体または分離した構造部分によって形成された保持枠（６８）が取り付けられ、それを使用してベースシート（１８）は所定の調整範囲内で移動可能であり、かつ移動のあと再び位置固定できて関連取付け枠（６２，６３）の少なくとも１つに、好ましくは栓状の取付け枠・調整ピン（６７）とそれに所定の過大寸法で掛けることのできるベースシート・レセス（６８）とを介して保持されることを特徴とする請求項９または１０に記載の装置。
【請求項１３】
保持装置は、胴溝（１３）に収容され好ましくは互いに間隔を保つ２つの締付け軸（１１，１２）によって形成されることを特徴とする請求項１ないし１２のいずれか１項に記載の装置。
【請求項１４】
それぞれの関連取付け枠（６２，６３）の位置決め結合面用に、いずれの締付け軸（１１，１２）も、ほぼ円筒断面をした締付け軸（１１，１２）が周囲側で締付け軸方向に延びる切取り面、好ましくは削取り平面を備えるように取付け枠（６２，６３）の１つが関連することを特徴とする請求項１３に記載の装置。
【請求項１５】
ブランケット胴（３）は胴溝カバー（１４）を備え、それを使用して胴溝（１３）が組立て状態で少なくとも領域的に覆われることを特徴とする請求項１ないし１４のいずれか１項に記載の装置。
【請求項１６】
ベースシート（１８）は柔軟で寸法安定性のある材料で、好ましくは長方形および／または薄いプラスチックシートとして製造され、
ベースシート（１８）上に直交する格子線配列が測定格子として設けられる
ことを特徴とする請求項１ないし１５のいずれか１項に記載の装置。
【発明の詳細な説明】
【技術分野】
【０００１】
本発明は請求項１の前提部に記載された輪転印刷機、特に多色刷輪転印刷機で穴あけ、溝切りまたは打抜きする装置に関する。  
【背景技術】
【０００２】
輪転印刷機で穴あけ、溝切りまたは打抜きするこの種の装置は特許文献１のＥＰ１０６８０７７Ｂ１で知られている。この装置は２つの締付け軸で形成されたブランケット胴とブランケット胴に関連する対向圧胴とを備えた少なくとも１つの印刷・コーティングユニットを備える。さらにブランケット胴は締付け軸を収容する胴溝を備える。ブランケットの代わりに柔軟で寸法安定性のある材料からできた基板がブランケット胴に固定され、基板上に薄いベースシートが張設された状態で位置決め結合面に載置される。所定の穴あけ・溝切り・打抜き形状に応じた穴あけ・溝切り・打抜きパターンとして盛り上がった加工パターンをベースシート上に取付け、特に貼付することができる。ベースシートを取付けあるいは固定するために、基板は関連ブランケット胴の周方向に対向する端部領域にブランケットの保持レールに対応する保持レールを備え、その結果、基板は締付け軸を使用してブランケットと同様にブランケット胴に保持される。この端部側の締付け軸に関連する保持レールと間隔を保って、さらに関連ブランケット胴の周方向に間隔を保った取付け枠が同様に基板に取り付けられ、その取付け枠にベースシートの対向する端部領域が張設された状態で弛緩可能に取り付けられる。ブランケット胴上に固定して取り付けられた基板上にベースシートをこのように弛緩可能に取付けることによって、ベースシート上に取付けらた形状を変えることなく、基板とベースシートとの間の相対位置修正およびしたがって加工されるシートに対する位置修正も実施することができる。取付け枠は基板に対して調整範囲内で移動でき、かつ再び固定もできるので、すでに正確な形状で加工パターンが貼付されたベースシートの位置修正は基板に対して迅速かつ簡単に実施することができる。したがってベースシートの取付け枠はそのように装備されたブランケット胴の外側周面上に盛り上がって配置され、自由に接近できる。このような装置で、穴あけ・溝切り・打抜き形状は簡単かつ容易に機械の外でベースシートに取り付けることができ、その際、ベースシート自体は取付け枠を使用して簡単に基板に固定することができる。したがって穴あけ・溝切り・打抜き型を取り付けたベースシートは迅速かつ簡単に交換することができ、その際、一度組み立てられたベースシートは保管することができ、したがって例えば周期的使用のためには設備を新しいものに取り替えることなく再度使用できる。
【先行技術文献】
【特許文献】
【０００３】
【特許文献１】ＥＰ１０６８０７７Ｂ１
【発明の概要】
【発明が解決しようとする課題】
【０００４】
本発明の課題は、輪転印刷機で穴あけ、溝切りまたは打抜きする種類の装置において、機能安全性を向上させる際により簡単に装置を組み立て、これに加え、穴あけ、溝切りまたは打抜き作業を簡単に高品質で実施するようにさらに開発することにある。
【課題を解決するための手段】
【０００５】
この課題は請求項１に記載された特徴で解決される。
【０００６】
請求項１によると、所定の穴あけ・溝切り・打抜き形状に応じて穴あけ・溝切り・打抜きパターンとして盛り上がった加工パターンがベースシート上に取り付けられ、特に貼付され、このベースシートは特に締付け軸に形成されたブランケット用保持装置に同様に固定される。
【０００７】
したがって、有利にもここでは、現存のブランケット用保持装置がベースシートを保持するための二重機能に使用される。発明による保持装置あるいは締付け装置にベースシートも通常現存する基板も固定することができる。したがって、有利にもこれによって、ベースシート用あるいは場合によって現存する基板用の全部の固定あるいは保持装置をほぼ胴溝の領域内に収容し、この領域を通常現存する胴溝カバーを使用して再度覆うことができる。これによって第１に作業安全性が高められ、同時に、ブランケット胴の周方向に見て多くの場所が自由に提供され、その上に加工パターンが自由に取り付けられる。すなわち、胴外周あるいは胴カバーの外側の領域で、加工パターンを除き盛り上がった構造部分が存在しないことが簡単な方法で確認でき、それによって、例えば版胴のような別の隣接する胴から損傷を防止することができる。このように発明に基づき胴溝の領域にベースシート・保持装置を統合することで、依然変わらずにベースシートおよび／または基板を迅速かつ簡単にブランケット胴に配置あるいは整列させることが達成でき、その結果、印刷機で穴あけ、溝切りまたは打抜きする装置として改良されさらに開発されたインライン・フィニッシィング・システムが自由に提供される。
【０００８】
特に請求項２による有利な実施形態によって、ベースシートの位置修正手段はベースシート上に取り付けられた加工パターンを変更することなく、あるいはブランケット胴からベースシートを取り外すことなく、すなわちベースシートの位置修正手段は基板に相対的にあるいはブランケット胴に相対的にそれらに挟み込まれた状態で行われる。請求項３は基板とともにベースシートの好ましい使用に関する。
【０００９】
請求項４に記載され、好ましくは胴の軸方向に延びる取付け枠によって、簡単で機能確実で迅速なベースプレートの取付けが、ブランケット保持装置を形成する保持装置に可能となる。それに加えて、このような取付け枠を使って簡単なやり方で、正確な形状で加工パターンがすでに取り付けられ張締めされたベースシートの位置修正の異なった方法が実現される。なおこれについては後で詳述する。後で詳述する方法にも当てはまるが、調整範囲はそれぞれの具体的な取付け条件に依存して、例えばブランケット胴の周方向のみ、または周方向と軸方向に任意に前もって与えられる。しかし発明の一般的な使用のためには、すべてのスペース方向、特に対角線方向での調整方法が好ましい。この場合、所定の調整範囲はいずれのスペース方向においても５ｍｍが好ましく、１．５ｍｍが最も好ましい。
【００１０】
請求項５による第１の変形によると、取付け枠は固定され移動できないよう保持装置に配置される。その場合、取付け枠は保持装置と一体に、または分離した構成部品として形成され、その場合、例えばねじ結合で固定される。ベースシートの端部領域に同様に一体または分離した構成部品で形成された保持枠あるいは保持枠として機能する領域が取り付けられ、それによってベースシートが所定の調整範囲内で移動可能となり、さらに再び関連取付け枠の少なくとも１つに固定され保持される。
【００１１】
その場合、ベースシート側の保持枠は具体的な実施形態によると少なくとも弛緩可能な結合を使用してそれぞれの関連取付け枠に取り付けられる。弛緩可能な結合は、結合を緩めるとベースシートの相対移動が自由になり、一方、結合を固定するとベースシートがブランケット胴に固定され、詳しく言うと特に挟み込まれて、保持される。このために、請求項７によって取付け枠は具体的な栓状の取付け枠・調整ピンを備え、それに、ベースシートの保持枠において調整ピンに対して所定の過大寸法を示す、例えば長穴を形成するベースシート・レセスが関連する。調整ピン・レセスは、決められた所望の調整範囲が位置修正のために前もって与えられるようにここでは選択される。請求項８による特に好ましい実施形態によると、取付け枠との間にベースシート側の保持枠が固定された状態で挟み込まれる挟み付け枠がさらに設けられる。
【００１２】
以上に記載した実施形態では、取付け枠がそれぞれ固定されて移動できないように保持装置に配置されているが、請求項９による特に好ましい実施形態によると、それに代わるものとして、分離した構成部分で形成された取付け枠と関連して位置修正するために、取付け枠の少なくとも１つが保持装置に対し所定の調整範囲内で移動可能であり、かつ移動のあと再び保持装置に固定可能であることが記載されている。有利で簡単に製造でき、機能確実で具体的な実施形態によって、請求項１０による取付け枠は少なくとも１つの弛緩可能な結合、特にねじ結合を使用して保持装置に固定される。弛緩可能な結合は具体的な形態によると、保持装置あるいは締付け軸にねじ込み可能で頭付きねじとして形成された固定あるいは止めねじのねじ軸に対して過大寸法となる取付け枠側のレセスによって形成されるのが好ましい。
【００１３】
この調整可能な取付け枠の場合、ベースシートは請求項１１によって、特に取付け枠・調整ピンおよびそれで形状が定まり掛けることができるベースシート・レセスを介して、弛緩可能に固定され取付け枠に結合される。多数のベースシートが保管される場合には、それぞれ同一に並び同一に形成されたベースシート・レセスがベースシートに設けられる。
【００１４】
同じく、請求項５および９に基づき今までに記載した２つの基本的な位置調整手段を組み合す意味において、調整手段のために、一方では保持装置と取付け枠との間にも、他方では取付け枠とベースシートとの間にも、請求項１２によって記載されるように、ベースシートの端部領域に一体または分離した構造部分として形成された保持枠あるいは保持枠に形成された領域が配置され、それを使用してベースシートが所定の調整範囲内で移動可能であり、かつ移動のあと再び固定して関連取付け枠の少なくとも１つに保持される。例えば、これはベースシート側の過大レセス、例えば胴の軸方向に整列した長穴に関連し取付け枠に配置された栓状の調整ピンによって行うことができ、調整ピンを使用してベースシートの位置修正を軸方向で行い、一方、取付け枠を使用して例えば胴の周方向の位置修正を行うことができる。この場合もベースシートの固定は再び挟み付け枠を使用して行うことができ、それを使用してベースシートは２つの枠の間に固定されて挟み込まれる。それぞれの関連取付け枠への挟み付け枠の取付けは、それぞれの取付け枠または保持枠に直接ねじ込まれたねじおよび適切な止めねじを使用して行うのが好ましい。
【００１５】
請求項１３によると、保持装置は胴溝に収容され特に互いに間隔を保つ２つの締付け軸によって、保持装置あるいはブランケット保持装置に形成された構造部分として通常形成され、それに請求項１４によってそれぞれ取付け枠の１つが関連するのが好ましい。締付け軸はそれぞれの取付け枠の位置決め結合面を可能にするために切取り面あるいは削取り平面を備えるのが好ましい。締付け軸は所望の値、特に３６０°回転できるように調整される。
【００１６】
請求項１５によれば、ブランケット胴は胴溝カバーを備え、それを使用して胴溝が組立て状態で少なくとも領域的に覆われる。この手段は作業安全性および事故回避の役に立つ。
【００１７】
ベースシート自体は請求項１６によって柔軟で寸法安定性のある材料から、例えば長方形のベースシートとして製造され、その場合、材料としてプラスチックを使用することができる。このようなプラスチックシートは、例えば約０．１８ｍｍで強度を備えることができる。ベースシート自体に、直交する格子線配列が測定格子として設けられる。特に、格子線は関連ブランケット胴の軸方向には互いに１ｍｍ間隔で配置される。格子線は関連ブランケット胴の周方向には同様に互いに同一の線間隔で配置されるが、この場合は１ｍｍよりも多少小さい。この小さい線間隔において、ベースシートを円筒状に張設しとき、盛り上がって貼付された加工パターンの外輪郭はベースシート外面よりも大きい胴直径となる。この相違はベースシートを平面にして加工パターンが貼付されるときはまだ現れない。さらに、前述の線間隔縮小の場合、平面の格子線配列上の計算上算出可能な胴直径相違および突出に加えて、機械特有およびシート特有の状態も考慮される。
【００１８】
基板も長方形あるいは表面が頑丈なプラスチック板で製造するのが好ましく、この場合、基板はブランケット胴の周方向に対向する端部領域にブランケット胴の保持手段に相当する保持手段を備え、その結果、基板はごく簡単にブランケットに応してブランケット保持装置を使用してブランケット胴に固定される。場合によっては、基板を公知の方法で少なくとも校正されたベースシートで裏打ちする必要がある。
【００１９】
加工パターンとしては、印刷機外で正確にベースシート上に貼付できる特に粘着処理バンド、例えば切削・溝切り・穴あけラインあるいは磁気打抜き薄板が適している。
【００２０】
ブランケット胴に関連する対向圧胴の損傷を避けるため、ブランケット胴には保護薄板、例えば粘着の対向圧保護薄板を設けることもできる。または、例えば特許文献１のＥＰ１０６８０７７Ｂ１に詳細が記載されているように、複数の部分からなる加工パターンの使用も考えられる。
【００２１】
このような発明による構成によって、ベースシートは簡単な方法で基板に左右されずにブランケット胴に固定あるいは張設される。ベースシートが張設されたときでも、ベースシートは正確な位置に、特に水平、垂直および斜めにも調整することができる。
【００２２】
以下、図面に基づき発明を詳細に説明する。
【図面の簡単な説明】
【００２３】
【図１】多色刷シート輪転印刷機の印刷・コーティングユニットの概略図を示す。
【図２】ベースシート用に発明による締付け軸・取付け装置を有するブランケット胴の概略拡大図を示す。
【図３】締付け軸に取外し可能に固定でき、移動でき、かつ再度その位置に固定できる取付け枠を概略的に示す。
【図３ａ】図３による取付け枠のレセス形状の別の実施形態を概略的に示す。
【図３ｂ】締付け軸と一体に形成された栓を概略的に示す。
【図４】取付け枠に嵌め込んだベースシートの側面図を概略的に示す。
【図４ａ】図４による取付け枠のベースシート嵌め込み結合の拡大詳細図を示す。
【図４ｂ】図４ａに代わる実施形態を概略的に示す。
【図４ｃ】図４ａおよび図４ｂによる変形に代わる実施形態を概略的に示す。
【図５】展開したベースシートの上面図を概略的に示す。
【発明を実施するための形態】
【００２４】
図１に例えば複数の印刷・コーティングユニットを含む多色刷シート輪転印刷機１の従来の印刷・コーティングユニット２を概略的に示す。この印刷・コーティングユニット２は版胴５を備え、この版胴を介して印刷画像のインキ通過に応じてブランケット胴３の詳細図示しないブランケットにインキ８が転写される。ブランケット胴３は胴周面のレセスとして胴溝１３を備え、この溝に締付け軸１１，１２がブランケットの保持装置として収容される。胴溝１３は接近を避けるためブランケット胴３に着脱可能に取付けた胴溝カバー１４で覆われる。印刷画像はブランケット胴３を介して、対向圧胴４上に張設された図示しない印刷シート上に転写される。この印刷シートは印刷・コーティングユニット２においてシート送り胴６を介して対向圧胴４の領域に搬送され、対向圧胴４に配置されたペーパーグリッパ９によって把持される。それによってシートは対向圧胴４のさらなる回転で装置に関連して印刷される。シートの印刷のあと、ペーパーグリッパ９はシートを再び開放し、その結果、シートはシート搬送胴７を介して搬出される。
【００２５】
このような印刷・コーティングユニット２はシートを穴あけ、溝切り、または打抜きするために、穴あけ、溝切り、または打抜きする発明による装置に形成される。そのため一例として図２に概略示すように、印刷・コーティングユニット２のブランケット胴３に、従来のブランケットの代わりに、点線で示す長方形の表面の頑丈なプラスチック板が基板１０として張設される。ここでは詳細は示さないが、この基板１０は関連ブランケット胴３の周方向で対向する端部領域にそれぞれの印刷機タイプのブランケットのそれに対応する保持レールを備える。それによって基板１０は、ブランケット胴３に配置された締付け軸１１，１２を使用してブランケットと同じように迅速、簡単にブランケット胴３上に張設される。
【００２６】
さらに図２から分かるように、締付け軸１１，１２は、ほぼブランケット胴３全体の軸方向あるいは縦方向に延びるブランケット胴３の胴溝１３に収容される。この胴溝１３は胴溝カバー１４で覆われる。
【００２７】
図２で最も概略的に分かるように、ブランケット・取付け装置６１から間隔をあけ締付け軸１１，１２にさらにベースシート・保持装置６０が配置され、この装置を使用して、ベースシート１８はベースシートが張締め組立て状態で位置決め結合面で基板１０上に載置されるようにブランケット胴３に固定される。
【００２８】
ベースシート保持装置６０は関連ブランケット胴３の周方向で間隔を保つ取付け枠６２，６３を備え、それを使用してベースシート１８は張締め状態で対向する端部領域の締付け軸１１および１２に取り付けられる。
【００２９】
図３で一方だけが概略的に例示された２つの取付け枠６２および６３はそれぞれ締付け軸１１および１２に対して所定の調整範囲内において移動可能で位置固定できる。そのために取付け枠６２および６３は複数のねじ・長穴結合６４を備える。このため具体的には、切り抜き線で示す枠側の長穴６５に案内された止めねじ６６が、対応するねじボア（図示しない）を備えた例えば平らに削られた締付け軸領域にねじ込まれ、その結果、止めねじ６６を引き寄せると、それぞれの締付け軸１１，１２に対する取付け枠６２および６３の相対位置調整はできなくなる。これに対し、止めねじ６６を緩めると、取付け枠６２および６３の相対位置調整およびしたがって締付け軸１１，１２に対して取付け枠に取り付けたベースシート１８の相対位置調整はベースシート１８の位置修正のためブランケット胴３の周方向に自由となる。長穴形状あるいは過大形状はここでは単に一例として記載するが、どのような形状にすることも考えられ、図３ａにしたがって構造を示す長穴６５に関連して破線で示唆され描かれる。ねじ軸部６６ａはここでは黒塗りの点として描かれ、一方、ねじ頭部６６ｂは破線で示される。これについては、さらに後述する。
【００３０】
図２で分かるように、図示する実施形態において、取付け枠６２および６３はそれぞれ位置決め結合平面で締付け軸１１，１２上に載置される。締付け軸１１，１２は取付け枠６２および６３と同様に頑丈で機能確実な位置決め結合面を形成するため、ブランケット胴３の軸方向に見て好ましくはほぼ軸方向長さ全体にわたって延びる。
【００３１】
ベースシート１８はここに示す例では移動可能で再び固定可能になるよう取付け枠６２および６３に結合可能である。そのため取付け枠６２および６３は、特に図４で分かるように栓状の取付け枠・調整ピン６７を備え、そこにベースシート１８は、対向する端部領域に形成されたベースシート・レセスあるいは打抜き穴６８（図５）を使って周方向に位置固定して掛けることができる。打抜き穴６８は、好ましくはベースシート１８に一体に形成され軸方向に見て長穴輪郭を示す保持枠を形成する。その結果、ベースシート１８はこの打抜き穴６８を使用して、長穴形状による所定の調整範囲内で、ベースシート１８を位置修正するためブランケット胴３の軸方向に移動できる。この位置修正手段の詳細を図４ａに示す。ここでも長穴形状あるいは過大形状を単に一例として再度表示するが、形状はどのようなものにしてもよく、胴の軸方向にも周方向にも移動させることが可能な例えば図４ｂに示す十字型レセス７０の形状にすることもできる。さらに保持枠は分離した構造部品によって形成してもよく、例えばそれぞれ関連するベースシート・端部領域に恒久に固定して結合することもできる。
【００３２】
図４で単に概略的に例示するように、ベースシート１８の固定は軸方向に例えば挟み付け枠６９によって行うことができる。この挟み付け枠６９はそれぞれ関連する取付け枠６２，６３または、これを貫通してそれぞれ関連する締付け軸１１，１２のいずれかにねじ込まれ、その結果、挟み付け枠６９は挟み付け枠と取付け枠６２あるいは６３の間にベースシート１８を確実に固定し挟み付けて動かなくする。
【００３３】
図５の符号７１は前の一般的な記載部分に記載した格子線配列をさらに表す。
【００３４】
ここに記載する実施形態は取付け枠６２，６３と締付け軸１１、１２との間でも、取付け枠６２，６３と保持枠６８を形成するベースシート・端部領域との間でも相対調整手段に関係する。これに代えて、締付け軸１１，１２に相対的な取付け枠６２，６３の移動によって相対調整手段を一方だけでも利用できるようにすることができる。この場合、ベースシート１８は調整することなしに、例えば栓状の調整ピン６７を取り囲み適合する図４ｃの穴レセス７２を介して取付け枠６２，６３に確実に固定することができる。隙間方向の複数の相対調整手段のために、取付け枠６２，６３と締付け軸１１，１２との間に対応して長穴が形成され、例えば取付け枠６２，６３の十字型または星型のレセス形状を通して止めねじ６６が貫通把持され、その結果、緩めた状態においてはそれぞれの取付け枠６２あるいは６３の相対移動が自由になり、固定した状態においては取付け枠６２，６３およびしたがってベースシート１８は図３ａに概略示すように固定される。
【００３５】
ベースシート１８のレセス６８について、同じことが偏にベースシート１８の調整手段にも適用される。この場合、取付け枠６２，６３も、例えば図３ｂに概略示すように、単に締付け軸側の栓６７によって締付け軸１２，１３と一体に形成される。ここには図示しないが、栓６７は、締付け軸１２に固定して移動できないように結合された取付け枠あるいは栓枠のねじ込まれたねじピンまたは構成部品にすることもできる。調整のためには、保持枠６８を形成するベースシート・端部領域に、例えば栓６７に対して過大寸法の穴レセスを備え、それにより、概略的に図４ｂに例示するようにベースシート１８が所望の方向に調整できるようにする。位置修正されたベースシート１８を位置固定するため挟み付け枠６９の意味における挟み付け枠を使用し、ベースシートとそれぞれ関連する取付け枠６２，６３との間でベースシートを締め付けることができる。
【図１】
2010508184.tif 000003
【図２】
2010508184.tif 000004
【図３】
2010508184.tif 000005
【図３ａ】
2010508184.tif 000006
【図３ｂ】
2010508184.tif 000007
【図４】
2010508184.tif 000008
【図４ａ】
2010508184.tif 000009
【図４ｂ】
2010508184.tif 000010
【図４ｃ】
2010508184.tif 000011
【図５】
2010508184.tif 000012
【国際調査報告】
2010508184.tif 000013
2010508184.tif 000014
2010508184.tif 000015
2010508184.tif 000016
2010508184.tif 000017
2010508184.tif 000018